(57)【要約】【課題】ファクシミリ受信時において自動給紙できる給紙トレイが存在しなくても、ファクシミリ受信を可能にする画像通信装置およびその給紙制御方法を提供する。【解決手段】画像通信装置１は、ファクシミリ受信を開始すると、自動給紙が許可されている給紙トレイが存在するか否か確認し、全ての給紙トレイが自動給紙が禁止されていると確認した場合、全ての給紙トレイに収納可能な記録紙サイズを全て選択し、選択した記録紙サイズをファクシミリ受信能力として相手装置に送信する。【選択図】　図１
2004083241.tif 000002
【特許請求の範囲】
【請求項１】
画像を記録紙に記録する記録手段と、画像が指定する記録紙サイズに適した記録紙を選択して該記録手段に給紙する選択給紙手段とを具備する画像通信装置において、
ファクシミリ通信を行うファクシミリ通信手段と、
前記選択給紙手段による選択が実行可能な少なくとも１つの給紙トレイと、
前記給紙トレイに対して前記選択給紙手段による選択を実行許可若しくは実行禁止に設定する実行設定手段と、
前記ファクシミリ通信が開始する際に、複数の給紙トレイの全てに対して前記選択給紙手段による選択を実行禁止に設定している場合、前記ファクシミリ通信を行っている相手装置に通知するファクシミリ受信能力の記録紙サイズとして、全ての給紙トレイに収納可能な記録紙サイズを選択する記録紙サイズ選択手段と
を具備することを特徴とする画像通信装置。
【請求項２】
前記記録紙サイズ選択手段は、
前記ファクシミリ通信が開始する際に、複数の給紙トレイの全てに対して前記選択給紙手段による選択を実行禁止に設定している場合、全ての給紙トレイを実行禁止から実行許可に設定し、前記ファクシミリ受信能力の記録紙サイズとして、該全ての給紙トレイに収納された記録紙の記録紙サイズを選択する
ことを特徴とする請求項１記載の画像通信装置。
【請求項３】
前記記録紙サイズ選択手段は、
前記実行設定手段で実行許可に設定された給紙トレイに記録紙が収納されている場合、前記ファクシミリ受信能力の記録紙サイズとして、該記録紙の記録紙サイズを選択し、
前記実行設定手段で実行許可に設定された全ての給紙トレイに記録紙が収納されていない場合、前記ファクシミリ受信能力の記録紙サイズとして、該給紙トレイに収納可能な記録紙サイズを選択する
ことを特徴とする請求項１記載の画像通信装置。
【請求項４】
前記給紙トレイは、
収納する記録紙サイズを設定する記録紙サイズ設定手段
を具備し、
前記記録紙サイズ選択手段は、
前記実行設定手段で実行許可に設定された全ての給紙トレイに記録紙が収納されていない場合、前記ファクシミリ受信能力の記録紙サイズとして、前記記録紙サイズ設定手段で該給紙トレイに設定した記録紙サイズを選択する
ことを特徴とする請求項３記載の画像通信装置。
【請求項５】
少なくとも１つの給紙トレイを補助給紙トレイに予め設定する補助給紙トレイ設定手段
を更に具備し、
前記記録紙サイズ選択手段は、
前記ファクシミリ通信が開始する際に、複数の給紙トレイの全てに対して前記選択給紙手段による選択を実行禁止に設定している場合、前記ファクシミリ受信能力の記録紙サイズとして、前記補助給紙トレイ設定手段で補助給紙トレイに設定された給紙トレイに収納された記録紙の記録紙サイズを選択する
ことを特徴とする請求項１記載の画像通信装置。
【請求項６】
前記補助給紙トレイ設定手段による補助給紙トレイの設定はユーザが行う
ことを特徴とする請求項５記載の画像通信装置。
【請求項７】
前記給紙トレイに収納された記録紙の紙質を記憶する紙質記憶手段
を更に具備し、
前記実行設定手段は、
前記記憶手段に記憶した記録紙の紙質毎に前記選択給紙手段による選択を実行許可若しくは実行禁止に設定する
ことを特徴とする請求項１記載の画像通信装置。
【請求項８】
前記給紙トレイに収納された記録紙の紙質を識別する紙質識別手段
を更に具備し、
前記紙質識別手段で識別した記録紙の紙質を前記紙質記憶手段に記憶する
ことを特徴とする請求項７記載の画像通信装置。
【請求項９】
前記紙質記憶手段に記憶した記録紙の紙質毎に前記選択給紙手段による選択を実行許可若しくは実行禁止にする設定はユーザが行う
ことを特徴とする請求項７記載の画像通信装置。
【請求項１０】
ファクシミリ通信を介して受信した画像を記録紙に記録する際の画像通信装置の給紙制御方法において、
給紙トレイは画像が指定する記録紙サイズに適した記録紙を選択する選択給紙が実行可能で、
前記ファクシミリ通信が開始する際に、複数の給紙トレイの全てに対して前記選択給紙を実行禁止に設定している場合、前記ファクシミリ通信を行っている相手装置に通知するファクシミリ受信能力の記録紙サイズとして、全ての給紙トレイに収納可能な記録紙サイズを選択する
ことを特徴とする画像通信装置の給紙制御方法。
【請求項１１】
前記ファクシミリ通信が開始する際に、複数の給紙トレイの全てに対して前記選択給紙を実行禁止に設定している場合、全ての給紙トレイを実行禁止から実行許可に設定し、前記ファクシミリ受信能力の記録紙サイズとして、該全ての給紙トレイに収納された記録紙の記録紙サイズを選択する
ことを特徴とする請求項１０記載の画像通信装置の給紙制御方法。
【請求項１２】
前記選択給紙を実行許可に設定された給紙トレイに記録紙が収納されている場合、前記ファクシミリ受信能力の記録紙サイズとして、該記録紙の記録紙サイズを選択し、
前記選択給紙を実行許可に設定された全ての給紙トレイに記録紙が収納されていない場合、前記ファクシミリ受信能力の記録紙サイズとして、該給紙トレイに収納可能な記録紙サイズを選択する
ことを特徴とする請求項１０記載の画像通信装置の給紙制御方法。
【請求項１３】
前記給紙トレイに収納する記録紙サイズを予め設定し、
前記選択給紙を実行許可に設定された全ての給紙トレイに記録紙が収納されていない場合、前記ファクシミリ受信能力の記録紙サイズとして、予め設定した該給紙トレイに収納する記録紙サイズを選択する
ことを特徴とする請求項１２記載の画像通信装置の給紙制御方法。
【請求項１４】
少なくとも１つの給紙トレイを補助給紙トレイに予め設定し、
前記ファクシミリ通信が開始する際に、複数の給紙トレイの全てに対して前記選択給紙手段による選択を実行禁止に設定している場合、前記ファクシミリ受信能力の記録紙サイズとして、前記補助給紙トレイに設定された給紙トレイに収納された記録紙の記録紙サイズを選択する
ことを特徴とする請求項１０記載の画像通信装置の給紙制御方法。
【請求項１５】
前記補助給紙トレイの設定はユーザが行う
ことを特徴とする請求項１４記載の画像通信装置の給紙制御方法。
【請求項１６】
前記給紙トレイに収納された記録紙の紙質を記憶し、
該記憶した記録紙の紙質毎に前記選択給紙を実行許可若しくは実行禁止に設定する
ことを特徴とする請求項１０記載の画像通信装置の給紙制御方法。
【請求項１７】
前記給紙トレイに収納された記録紙の紙質を識別し、
該識別した記録紙の紙質を記憶する
ことを特徴とする請求項１６記載の画像通信装置の給紙制御方法。
【請求項１８】
前記記録紙の紙質毎に前記選択給紙を実行許可若しくは実行禁止にする設定はユーザが行う
ことを特徴とする請求項１６記載の画像通信装置の給紙制御方法。
【発明の詳細な説明】
【０００１】
【発明の属する技術分野】
本発明は、画像通信装置およびその給紙制御方法に関し、特に、ファクシミリ機能、コピー機能およびプリンタ機能を有する画像通信装置およびその給紙制御方法に関する。
【０００２】
【従来の技術】
従来、複数の給紙トレイを有することで複数のサイズの記録紙を収納することが可能なファクシミリ装置は、受信した画像のサイズに基づき、画像のサイズに合う記録紙が収納された給紙トレイを自動的に選択し（これを、自動給紙と呼ぶ）、印刷している。
【０００３】
ここで、給紙トレイを自動的に選択する従来技術として、画像を送信してくる相手装置と行われるファクシミリ通信手順において、給紙が可能な給紙トレイに収納された記録紙の記録紙サイズを受信可能な記録紙サイズとして相手装置に宣言するのが一般的である。
【０００４】
また、近年になって、ファクシミリ機能だけではなく、コピー機能やプリンタ機能を備えた複合機が開発され、ファクシミリ通信で受信した文書や画像を印刷するには不適切な記録紙（例えば、ＯＨＰ用のシートや厚紙等）が給紙トレイにセットされることがある。そのため、ある特定の用途に使用したいという記録紙が給紙トレイにセットされている場合、その記録紙がセットされた給紙トレイを自動給紙の対象外としなければならない。
【０００５】
ここで、従来技術として機能や記録紙の紙質毎に印刷する給紙トレイを使い分けるという技術が提案され、例えば、特開平１１−２０５５２４号では、ファクシミリ通信で受信した画像を印刷する際に、給紙トレイに収納されている記録紙の記録紙サイズまたは紙質に基づき、自動給紙の対象外となる給紙トレイを決定するという技術が開示されている。
【０００６】
【発明が解決しようとする課題】
しかし、特開平１１−２０５５２４号に開示されている技術では、全ての給紙トレイを自動給紙の対象外に決定してしまった場合、ファクシミリ受信を拒否してしまう不具合が発生してしまうと推測できる。
【０００７】
そこで、本発明は、ファクシミリ受信時において自動給紙できる給紙トレイがなくても、ファクシミリ受信を可能にする画像通信装置およびその給紙制御方法を提供することを目的とする。
【０００８】
【課題を解決するための手段】
上記目的を達成するために、請求項１の発明は、画像を記録紙に記録する記録手段と、画像が指定する記録紙サイズに適した記録紙を選択して該記録手段に給紙する選択給紙手段とを具備する画像通信装置において、ファクシミリ通信を行うファクシミリ通信手段と、前記選択給紙手段による選択が実行可能な少なくとも１つの給紙トレイと、前記給紙トレイに対して前記選択給紙手段による選択を実行許可若しくは実行禁止に設定する実行設定手段と、前記ファクシミリ通信が開始する際に、複数の給紙トレイの全てに対して前記選択給紙手段による選択を実行禁止に設定している場合、前記ファクシミリ通信を行っている相手装置に通知するファクシミリ受信能力の記録紙サイズとして、全ての給紙トレイに収納可能な記録紙サイズを選択する記録紙サイズ選択手段とを具備することを特徴とする。
【０００９】
また、請求項２の発明は、請求項１の発明において、前記記録紙サイズ選択手段は、前記ファクシミリ通信が開始する際に、複数の給紙トレイの全てに対して前記選択給紙手段による選択を実行禁止に設定している場合、全ての給紙トレイを実行禁止から実行許可に設定し、前記ファクシミリ受信能力の記録紙サイズとして、該全ての給紙トレイに収納された記録紙の記録紙サイズを選択することを特徴とする。
【００１０】
また、請求項３の発明は、請求項１の発明において、前記記録紙サイズ選択手段は、前記実行設定手段で実行許可に設定された給紙トレイに記録紙が収納されている場合、前記ファクシミリ受信能力の記録紙サイズとして、該記録紙の記録紙サイズを選択し、前記実行設定手段で実行許可に設定された全ての給紙トレイに記録紙が収納されていない場合、前記ファクシミリ受信能力の記録紙サイズとして、該給紙トレイに収納可能な記録紙サイズを選択することを特徴とする。
【００１１】
また、請求項４の発明は、請求項３の発明において、前記給紙トレイは、収納する記録紙サイズを設定する記録紙サイズ設定手段を具備し、前記記録紙サイズ選択手段は、前記実行設定手段で実行許可に設定された全ての給紙トレイに記録紙が収納されていない場合、前記ファクシミリ受信能力の記録紙サイズとして、前記記録紙サイズ設定手段で該給紙トレイに設定した記録紙サイズを選択することを特徴とする。
【００１２】
また、請求項５の発明は、請求項１の発明において、少なくとも１つの給紙トレイを補助給紙トレイに予め設定する補助給紙トレイ設定手段を更に具備し、前記記録紙サイズ選択手段は、前記ファクシミリ通信が開始する際に、複数の給紙トレイの全てに対して前記選択給紙手段による選択を実行禁止に設定している場合、前記ファクシミリ受信能力の記録紙サイズとして、前記補助給紙トレイ設定手段で補助給紙トレイに設定された給紙トレイに収納された記録紙の記録紙サイズを選択することを特徴とする。
【００１３】
また、請求項６の発明は、請求項５の発明において、前記補助給紙トレイ設定手段による補助給紙トレイの設定はユーザが行うことを特徴とする。
【００１４】
また、請求項７の発明は、請求項１の発明において、前記給紙トレイに収納された記録紙の紙質を記憶する紙質記憶手段を更に具備し、前記実行設定手段は、前記記憶手段に記憶した記録紙の紙質毎に前記選択給紙手段による選択を実行許可若しくは実行禁止に設定することを特徴とする。
【００１５】
また、請求項８の発明は、請求項７の発明において、前記給紙トレイに収納された記録紙の紙質を識別する紙質識別手段を更に具備し、前記紙質識別手段で識別した記録紙の紙質を前記紙質記憶手段に記憶することを特徴とする。
【００１６】
また、請求項９の発明は、請求項７の発明において、前記紙質記憶手段に記憶した記録紙の紙質毎に前記選択給紙手段による選択を実行許可若しくは実行禁止にする設定はユーザが行うことを特徴とする。
【００１７】
また、請求項１０の発明は、ファクシミリ通信を介して受信した画像を記録紙に記録する際の画像通信装置の給紙制御方法において、給紙トレイは画像が指定する記録紙サイズに適した記録紙を選択する選択給紙が実行可能で、前記ファクシミリ通信が開始する際に、複数の給紙トレイの全てに対して前記選択給紙を実行禁止に設定している場合、前記ファクシミリ通信を行っている相手装置に通知するファクシミリ受信能力の記録紙サイズとして、全ての給紙トレイに収納可能な記録紙サイズを選択することを特徴とする。
【００１８】
また、請求項１１の発明は、請求項１０の発明において、前記ファクシミリ通信が開始する際に、複数の給紙トレイの全てに対して前記選択給紙を実行禁止に設定している場合、全ての給紙トレイを実行禁止から実行許可に設定し、前記ファクシミリ受信能力の記録紙サイズとして、該全ての給紙トレイに収納された記録紙の記録紙サイズを選択することを特徴とする。
【００１９】
また、請求項１２の発明は、請求項１０の発明において、前記選択給紙を実行許可に設定された給紙トレイに記録紙が収納されている場合、前記ファクシミリ受信能力の記録紙サイズとして、該記録紙の記録紙サイズを選択し、前記選択給紙を実行許可に設定された全ての給紙トレイに記録紙が収納されていない場合、前記ファクシミリ受信能力の記録紙サイズとして、該給紙トレイに収納可能な記録紙サイズを選択することを特徴とする。
【００２０】
また、請求項１３の発明は、請求項１２の発明において、前記給紙トレイに収納する記録紙サイズを予め設定し、前記選択給紙を実行許可に設定された全ての給紙トレイに記録紙が収納されていない場合、前記ファクシミリ受信能力の記録紙サイズとして、予め設定した該給紙トレイに収納する記録紙サイズを選択することを特徴とする。
【００２１】
また、請求項１４の発明は、請求項１０の発明において、少なくとも１つの給紙トレイを補助給紙トレイに予め設定し、前記ファクシミリ通信が開始する際に、複数の給紙トレイの全てに対して前記選択給紙手段による選択を実行禁止に設定している場合、前記ファクシミリ受信能力の記録紙サイズとして、前記補助給紙トレイに設定された給紙トレイに収納された記録紙の記録紙サイズを選択することを特徴とする。
【００２２】
また、請求項１５の発明は、請求項１４の発明において、前記補助給紙トレイの設定はユーザが行うことを特徴とする。
【００２３】
また、請求項１６の発明は、請求項１０の発明において、前記給紙トレイに収納された記録紙の紙質を記憶し、該記憶した記録紙の紙質毎に前記選択給紙を実行許可若しくは実行禁止に設定することを特徴とする。
【００２４】
また、請求項１７の発明は、請求項１６の発明において、前記給紙トレイに収納された記録紙の紙質を識別し、該識別した記録紙の紙質を記憶することを特徴とする。
【００２５】
また、請求項１８の発明は、請求項１６の発明において、前記記録紙の紙質毎に前記選択給紙を実行許可若しくは実行禁止にする設定はユーザが行うことを特徴とする。
【００２６】
【発明の実施の形態】
以下、本発明に係わる画像通信装置およびその給紙制御方法の実施の形態について添付図面を参照して詳細に説明する。
【００２７】
図１は、本発明に関わる画像通信装置１の概略構成の一例を示すブロック図である。
【００２８】
図１に示すように、画像通信装置１はＣＰＵ２、主記憶装置３、補助記憶装置４、表示装置５、操作パネル６、画像処理部７、通信制御装置８、画像出力装置９、給紙装置１０、システムバス１１から構成されている。
【００２９】
ここで、ＣＰＵ（Ｃｅｎｔｒａｌ　Ｐｒｏｃｅｓｓｉｎｇ　Ｕｎｉｔ）２は、画像通信装置全体１の制御処理を行う。
【００３０】
また、主記憶装置３は、画像等を記憶するハードディスク等から構成される。
【００３１】
また、補助記憶装置４は、画像通信装置１のメインメモリとして利用されるＲＡＭ（Ｒａｎｄｏｍ　Ａｃｃｅｓｓ　Ｍｅｍｏｒｙ）等から構成される。
【００３２】
また、表示装置５は、画像通信装置１の状態、外部装置との通信の状態またはユーザに対するメッセージ等を表示する液晶表示装置等から構成される。
【００３３】
また、操作パネル６は、各装置への指示または自動給紙に関する設定の指示等を行うタッチパネル若しくはキーボード等から構成される。
【００３４】
また、画像処理部７は、画像の符号化／復号化／拡大／縮小等を行う。
【００３５】
また、通信制御装置８は、公衆回線またはネットワーク等の通信網に接続するモデム等から構成される。
【００３６】
また、画像出力装置９は、画像を記録紙に印刷して出力する。
【００３７】
また、給紙装置１０は、自動給紙を行うことが可能な複数の給紙トレイから構成される多段トレイである。なお、本実施例では多段トレイを一例にして説明するが、給紙装置１０は単段トレイでも適用可能である。ここで、ユーザは給紙トレイ毎に自動給紙の許可／禁止を操作パネル６から設定することができる。
【００３８】
また、各装置は、システムバス１１を介して相互にデータのやり取りを行う。
【００３９】
次に、本発明に係わる画像通信装置１が行う給紙制御処理について、ユーザが給紙トレイに収納する記録紙の紙質に応じて自動給紙の許可／禁止を設定する構成を一例にして詳細に説明する。
【００４０】
図２は、給紙トレイに収納された記録紙の紙質、サイズ、有無および給紙状態等の状況を示す給紙トレイ情報１２の一例を示す図である。
【００４１】
図２に示すように、「給紙トレイ１」はＡ４サイズの上質紙を収納する給紙トレイであり、「給紙トレイ２」はＢ４サイズの厚紙を収納する給紙トレイであり、「給紙トレイ３」はＡ４サイズのＯＨＰ用の紙を収納する給紙トレイであり、「給紙トレイ４」はＡ４サイズの上質紙を収納する給紙トレイであり、「給紙トレイ１」、「給紙トレイ２」および「給紙トレイ３」には、記録紙が収納されていて、「Ｒｅａｄｙ」状態（つまり、給紙可能状態）になっていて、「給紙トレイ４」には、記録紙が収納されていないため、「Ｎｏｔ　Ｒｅａｄｙ」状態（つまり、給紙不可能状態）になっていることが、給紙トレイ情報１２として記憶されている。
【００４２】
なお、給紙トレイに記録紙が収納される度に、記録紙の記録紙サイズと紙質とを自動検知し、給紙トレイ情報は更新される。ただし、自動検知できない場合は、ユーザが記録紙を収納する度に、操作パネル６から記録紙の記録紙サイズと紙質とを設定する構成でも良い。
【００４３】
そして、ユーザは操作パネル６から記録紙の紙質に応じて自動給紙の許可／禁止を設定する。
【００４４】
図３は、記録紙の紙質に応じた自動給紙の許可／禁止の設定状況を示す自動給紙設定情報１３の一例を示す図である。
【００４５】
図３に示すように、記録紙の紙質が「普通紙」の場合は自動給紙を許可し、「上質紙」の場合は自動給紙を禁止し、「厚紙」の場合は自動給紙を禁止し、「ＯＨＰ」の場合は自動給紙を禁止することが、自動給紙設定情報１３として記憶されている。
【００４６】
そして、ＣＰＵ２は、画像出力装置９で画像を記録紙に印字して出力する際に、自動給紙設定情報１３の自動給紙の許可／禁止の設定状況に基づいて自動給紙する給紙トレイを決定する。例えば、図３で示す自動給紙設定情報１３では、「普通紙」の場合のみ自動給紙を許可しているので、図２に示す給紙トレイ情報１２から、全ての給紙トレイが自動給紙禁止になっている。
【００４７】
次に、ファクシミリ受信を開始した際に、ファクシミリ受信能力として、相手装置に送信する記録紙サイズを選択する第１の処理手順について図４のフローチャートを参照して説明する。ここで、第１の処理手順とは、全ての給紙トレイが自動給紙禁止の場合、全ての給紙トレイに収納可能な記録紙サイズを全て受信能力として相手装置に送信する処理手順である。
【００４８】
ファクシミリ受信を開始すると（ステップＳ４０１）、自動給紙許可の給紙トレイが存在するか否か確認し（ステップＳ４０２）、全ての給紙トレイが自動給紙禁止の場合（ステップＳ４０２でＮＯ）、全ての給紙トレイに収納可能な記録紙サイズを全て選択し（ステップＳ４０３）、選択した記録紙サイズを受信能力として相手装置に送信し（ステップＳ４０４）、処理手順を終了する。
【００４９】
また、ステップＳ４０２において、自動給紙許可の給紙トレイが存在する場合（ステップＳ４０２でＹＥＳ）、自動給紙許可の給紙トレイに収納された記録紙の記録紙サイズを選択し（ステップＳ４０５）、選択した記録紙サイズを受信能力として相手装置に送信し（ステップＳ４０４）、処理手順を終了する。なお、自動給紙許可の給紙トレイが複数存在する場合は、給紙トレイ毎に収納された記録紙の記録紙を選択し、選択した記録紙サイズを受信能力として相手装置に送信する。
【００５０】
例えば、図２に示す給紙トレイ情報１２と図３に示す自動給紙設定情報１３とが設定された画像通信装置１である場合、自動給紙許可の紙質である普通紙が「給紙トレイ１〜４」に収納されていないため、全ての給紙トレイが自動給紙禁止と判定される。そのため、「給紙トレイ１〜４」に収納可能な記録紙サイズ全て（例えば、Ａ３、Ａ４、Ｂ４、Ｂ５、はがきサイズ等）を受信能力として相手装置に送信する。
【００５１】
従って、全ての給紙トレイが自動給紙禁止である場合でも、全ての給紙トレイに収納可能な記録紙サイズを受信能力として相手装置に送信することで、ファクシミリ受信を拒否してしまうという不具合を回避することができる。
【００５２】
図４のフローチャートのステップＳ４０２における、自動給紙許可の給紙トレイが存在するか否か確認する処理手順について図５のフローチャートを参照して説明する。
【００５３】
ファクシミリ受信を開始すると、「Ｎ（給紙トレイの番号）＝１」と設定し（ステップＳ５０１）、「給紙トレイ１」から順に自動給紙が許可されているか否かの確認を開始する。
【００５４】
まず、「給紙トレイＮ」が給紙可能な状態の場合（ステップＳ５０２でＹＥＳ）、「給紙トレイＮ」に収納された記録紙の紙質を確認し（ステップＳ５０３）、確認した紙質が自動給紙禁止の場合（ステップＳ５０４でＮＯ）、「Ｎ＝Ｎ＋１」と設定し（ステップＳ５０５）、「給紙トレイＮ」が存在する場合（ステップＳ５０６でＹＥＳ）、ステップＳ５０２に戻る。
【００５５】
また、ステップＳ５０６において、「給紙トレイＮ」が存在しない場合（ステップＳ５０６でＮＯ）、全ての給紙トレイは自動給紙禁止と判定し（ステップＳ５０７）、処理手順を終了する。
【００５６】
また、ステップＳ５０４において、確認した紙質が自動給紙許可の場合（ステップＳ５０４でＹＥＳ）、自動給紙許可の給紙トレイが存在すると判定し（ステップＳ５０８）、処理手順を終了する。
【００５７】
例えば、図２に示す給紙トレイ情報１２と図３に示す自動給紙設定情報１３とが設定された画像通信装置１である場合、自動給紙許可の紙質である普通紙が「給紙トレイ１〜４」に収納されていないため、全ての給紙トレイが自動給紙禁止と判定される。
【００５８】
次に、ファクシミリ受信を開始した際に、ファクシミリ受信能力として、相手装置に送信する記録紙サイズを選択する第２の処理手順について図６のフローチャートを参照して説明する。ここで、第２の処理手順とは、全ての給紙トレイが自動給紙禁止の場合、全ての給紙トレイを自動給紙許可にし、全ての給紙トレイに収納している記録紙サイズを受信能力として相手装置に送信する処理手順である。
【００５９】
ファクシミリ受信を開始すると（ステップＳ６０１）、自動給紙許可の給紙トレイが存在するか否か確認し（ステップＳ６０２）、全ての給紙トレイが自動給紙禁止の場合（ステップＳ６０２でＮＯ）、全ての給紙トレイを自動給紙許可にし（ステップＳ６０３）、全ての給紙トレイに収納している記録紙サイズを選択し（ステップＳ６０４）、選択された記録紙サイズを受信能力として相手装置に送信し（ステップＳ６０５）、処理手順を終了する。
【００６０】
なお、ステップＳ６０３において、自動給紙を許可された全ての給紙トレイは、画像の印刷が正常に完了すると、自動給紙禁止の設定に戻る。
【００６１】
また、ステップＳ６０２において、自動給紙許可の給紙トレイが存在する場合（ステップＳ６０２でＹＥＳ）、自動給紙許可の給紙トレイに収納された記録紙の記録紙サイズを選択し（ステップＳ６０６）、選択した記録紙サイズを受信能力として相手装置に送信し（ステップＳ６０５）、処理手順を終了する。
【００６２】
例えば、図２に示す給紙トレイ情報１２と図３に示す自動給紙設定情報１３とが設定された画像通信装置１である場合、自動給紙許可の紙質である普通紙が「給紙トレイ１〜４」に収納されていないため、全ての給紙トレイが自動給紙禁止と判定される。しかし、全ての給紙トレイが自動給紙禁止と判定された場合は、全ての給紙トレイが自動給紙許可になるため、「給紙トレイ１〜４」は自動給紙許可になり、「給紙トレイ１、３、４」に収納するＡ４サイズと「給紙トレイ２」に収納するＢ４サイズとを受信能力として相手装置に送信する。
【００６３】
従って、全ての給紙トレイが自動給紙禁止である場合でも、全ての給紙トレイを自動給紙許可にし、全ての給紙トレイに収納している記録紙サイズを受信能力として相手装置に送信することで、ファクシミリ受信を拒否してしまうという不具合を回避することができる。
【００６４】
次に、ファクシミリ受信を開始した際に、ファクシミリ受信能力として、相手装置に送信する記録紙サイズを選択する第３の処理手順について図７のフローチャートを参照して説明する。ここで、第３の処理手順とは、記録紙の紙質と記録紙の有無とに応じて自動給紙の許可／禁止を設定する場合における処理手順である。
【００６５】
ファクシミリ受信を開始すると（ステップＳ７０１）、自動給紙許可の給紙トレイが存在するか否か確認し（ステップＳ７０２）、自動給紙許可の給紙トレイが存在する場合（ステップＳ７０２でＹＥＳ）、自動給紙許可の給紙トレイに記録紙が収納されているか否か確認する（ステップＳ７０３）。
【００６６】
全ての自動給紙許可の給紙トレイに記録紙が収納されていない場合（ステップＳ７０３でＮＯ）、自動給紙許可の給紙トレイに収納可能な記録紙サイズを全て選択し（ステップＳ７０４）、選択した記録紙サイズを受信能力として相手装置に送信し（ステップＳ７０５）、処理手順を終了する。
【００６７】
また、ステップＳ７０３において、自動給紙許可の給紙トレイに記録紙が収納されている場合（ステップＳ７０３でＹＥＳ）、自動給紙許可の給紙トレイに収納された記録紙の記録紙サイズを選択し（ステップＳ７０６）、選択した記録紙サイズを受信能力として相手装置に送信し（ステップＳ７０５）、処理手順を終了する。
【００６８】
また、ステップＳ７０２において、全ての給紙トレイが自動給紙禁止の場合（ステップＳ７０２でＮＯ）、全ての給紙トレイに収納可能な記録紙サイズを選択し（ステップＳ７０４）、選択された記録紙サイズを受信能力として相手装置に送信し（ステップＳ７０５）、処理手順を終了する。
【００６９】
ここで、給紙トレイに記録紙ガイド等が設けられ、その記録紙ガイドの設定位置に基づいて記録紙サイズを識別することができる場合、ステップＳ７０３において、全ての自動給紙許可の給紙トレイに記録紙が収納されていない際に、記録紙ガイドの設定位置から識別した記録紙サイズを受信能力として相手装置に送信する構成でも良い。
【００７０】
従って、自動給紙許可の給紙トレイに記録紙が収納されていない場合でも、全ての給紙トレイに収納可能な記録紙サイズを受信能力として相手装置に送信することで、ファクシミリ受信を拒否してしまうという不具合を回避することができる。
【００７１】
図８は、全ての給紙トレイが自動給紙禁止の際に、自動給紙許可に設定される補助給紙トレイの設定状況を示す補助給紙トレイ情報１４の一例を示す図である。
【００７２】
図８に示すように、補助給紙トレイとして「給紙トレイ１」が設定されていることが、補助給紙トレイ情報１４として記憶されている。例えば、図２に示すトレイ情報では、「給紙トレイ１〜４」が自動給紙禁止の場合、「給紙トレイ１」が自動給紙許可になる。なお、補助給紙トレイとして複数の給紙トレイを設定しても良い。
【００７３】
次に、ファクシミリ受信を開始した際に、ファクシミリ受信能力として、相手装置に送信する記録紙サイズを選択する第４の処理手順について図９のフローチャートを参照して説明する。ここで、第４の処理手順とは、全ての給紙トレイが自動給紙禁止の際に、補助給紙トレイに収納している記録紙サイズを受信能力として相手装置に送信する処理手順である。
【００７４】
ファクシミリ受信を開始すると（ステップＳ９０１）、自動給紙許可の給紙トレイが存在するか否か確認し（ステップＳ９０２）、全ての給紙トレイが自動給紙禁止の場合（ステップＳ９０２でＮＯ）、補助給紙トレイが存在するか否か確認する（ステップＳ９０３）。
【００７５】
補助給紙トレイが存在する場合（ステップＳ９０３でＹＥＳ）、補助給紙トレイに収納された記録紙サイズを選択し（ステップＳ９０４）、選択した記録紙サイズを受信能力として相手装置に送信し（ステップＳ９０５）、処理手順を終了する。
【００７６】
また、ステップＳ９０３において、補助給紙トレイが存在しない場合（ステップＳ９０３でＮＯ）、全ての給紙トレイに収納可能な記録紙サイズを全て選択し（ステップＳ９０６）、選択した記録紙サイズを受信能力として相手装置に送信し（ステップＳ９０５）、処理手順を終了する。
【００７７】
また、ステップＳ９０２において、自動給紙許可の給紙トレイが存在する場合（ステップＳ９０２でＹＥＳ）、自動給紙許可の給紙トレイに収納された記録紙の記録紙サイズを選択し（ステップＳ９０７）、選択した記録紙サイズを受信能力として相手装置に送信し（ステップＳ９０５）、処理手順を終了する。
【００７８】
例えば、図２に示す給紙トレイ情報１２と図３に示す自動給紙設定情報１３と図８に示す補助給紙トレイ情報１４とが設定された画像通信装置１である場合、自動給紙許可の紙質である普通紙が「給紙トレイ１〜４」に収納されていないため、全ての給紙トレイが自動給紙禁止と判定される。そのため、補助給紙トレイに設定された「給紙トレイ１」に収納するＡ４サイズを受信能力として相手装置に送信する。
【００７９】
従って、全ての給紙トレイが自動給紙禁止である場合でも、全ての給紙トレイが自動給紙禁止の際に自動給紙許可になる補助給紙トレイを予め設定し、補助給紙トレイに収納している記録紙サイズを受信能力として相手装置に送信することで、ファクシミリ受信を拒否してしまうという不具合を回避することができる。
【００８０】
【発明の効果】
以上説明したように本発明によれば、ファクシミリ受信時において自動給紙できる給紙トレイがなくても、ファクシミリ受信を可能にするという効果を奏する。
【図面の簡単な説明】
【図１】本発明に関わる画像通信装置１の概略構成の一例を示すブロック図である。
【図２】給紙トレイに収納された記録紙の紙質、サイズ、有無および給紙状態等の状況を示す給紙トレイ情報１２の一例を示す図である。
【図３】記録紙の紙質に応じた自動給紙の許可／禁止の設定状況を示す自動給紙設定情報１３の一例を示す図である。
【図４】ファクシミリ受信を開始した際に、ファクシミリ受信能力として、相手装置に送信する記録紙サイズを選択する第１の処理手順を示すフローチャートである。
【図５】図４のフローチャートのステップＳ４０２における、自動給紙許可の給紙トレイが存在するか否か確認する処理手順を示すフローチャートである。
【図６】ファクシミリ受信を開始した際に、ファクシミリ受信能力として、相手装置に送信する記録紙サイズを選択する第２の処理手順を示すフローチャートである。
【図７】ファクシミリ受信を開始した際に、ファクシミリ受信能力として、相手装置に送信する記録紙サイズを選択する第３の処理手順を示すフローチャートである。
【図８】全ての給紙トレイが自動給紙禁止の際に、自動給紙許可に設定される補助給紙トレイの設定状況を示す補助給紙トレイ情報１４の一例を示す図である。
【図９】ファクシミリ受信を開始した際に、ファクシミリ受信能力として、相手装置に送信する記録紙サイズを選択する第４の処理手順を示すフローチャートである。
【符号の説明】
１　　画像通信装置
２　　ＣＰＵ
３　　主記憶装置
４　　補助記憶装置
５　　表示装置
６　　操作パネル
７　　画像処理部
８　　通信制御装置
９　　画像出力装置
１０　　給紙装置
１１　　システムバス
１２　　給紙トレイ情報
１３　　自動給紙設定情報
１４　　補助給紙トレイ情報
【図１】
2004083241.tif 000003
【図２】
2004083241.tif 000004
【図３】
2004083241.tif 000005
【図４】
2004083241.tif 000006
【図５】
2004083241.tif 000007
【図６】
2004083241.tif 000008
【図７】
2004083241.tif 000009
【図８】
2004083241.tif 000010
【図９】
2004083241.tif 000011